(57)【要約】【課題】プッシュボタンの押し下げ操作の際のガタツキを防止するとともに、部品点数の削減と、組み立ての容易化、および製造コストの低減を図ることができるプッシュスイッチ付回転型電子部品を提供する。【解決手段】プッシュスイッチ付回転型電子部品において、ロータリーエンコーダ部Ａを構成するロータリーフランジ３に切り起こして一体に形成した弾性変形可能な弾性部３６を設け、この弾性部３６をプッシュボタン６へ摺動可能に接触させることによりプッシュボタン６を付勢するように構成する。【選択図】  図１
2005197070.tif 000002
【特許請求の範囲】
【請求項１】
ロータリーツマミを回転操作することでその電気的出力を変化させるロータリーエンコーダ部と、プッシュボタンを押し下げ操作することでプッシュスイッチをオン状態にするプッシュスイッチ部とを一体に組み込んだプッシュスイッチ付回転型電子部品において、
ロータリーエンコーダ部に弾性変形可能な弾性部を一体に設け、この弾性部をプッシュボタンへ摺動可能に接触させることによりプッシュボタンを付勢するように構成したことを特徴とするプッシュスイッチ付回転型電子部品。
【請求項２】
前記弾性変形可能な弾性部は、ロータリーエンコーダ部を構成するロータリーフランジに切り起こして一体に形成したことを特徴とする請求項１記載のプッシュスイッチ付回転型電子部品。
【請求項３】
ロータリーツマミを回転操作することでその電気的出力を変化させるロータリーエンコーダ部と、プッシュボタンを押し下げ操作することでプッシュスイッチをオン状態にするプッシュスイッチ部とを一体に組み込んだプッシュスイッチ付回転型電子部品において、
プッシュスイッチ部のプッシュボタンに弾性変形可能な弾性部を一体に設け、この弾性部をロータリーエンコーダ部に設けたロータリーフランジへ摺動可能に接触させることによりロータリーフランジを付勢するように構成したことを特徴とするプッシュスイッチ付回転型電子部品。
【発明の詳細な説明】
【技術分野】
【０００１】
本発明は、プッシュボタンの押し下げ操作でプッシュスイッチをオン状態にするプッシュスイッチ部と、ロータリーツマミの回転操作によりパルススイッチ、あるいは可変抵抗等の回転型電子部品を操作するように構成したロータリーエンコーダ部とを一体に組み込んだプッシュスイッチ付回転型電子部品に関する。
【背景技術】
【０００２】
プッシュボタンの押し下げ操作でプッシュスイッチをオン状態にするプッシュスイッチ部と、ロータリーツマミの回転操作によりパルススイッチを操作するロータリーエンコーダ部とを一体に組み込み、複合型のスイッチとして構成したプッシュスイッチ付ロータリーエンコーダスイッチは、従来から知られている（例えば、特許文献１参照）。
【０００３】
このプッシュスイッチ付ロータリーエンコーダスイッチのプッシュスイッチは、プッシュボタンを押し下げ操作することにより、タクトスイッチなどのプッシュスイッチ部品をオン状態にするプッシュスイッチ機構を備え、またロータリーエンコーダ部には、ロータリーツマミを回すことにより回転角度や回転方向を出力するロータリーエンコーダスイッチ機構を備えている。
【０００４】
上記従来のプッシュスイッチ付ロータリーエンコーダスイッチをプッシュスイッチとして動作させる場合には、プッシュボタンを押し下げると、プッシュボタンに一体に形成した軸部の先端でプッシュスイッチ用接触板を押し込み反転させ、この反転動作により、２つの離間していた電極を接触させてオン状態としていた。一方、プッシュボタンの押し下げを解除すると、反転していたプッシュスイッチ用接触板の自らの復元力によって、プッシュボタンを押し上げるとともに、２つの電極が離れてオフ状態となるように構成していた。
【０００５】
また、従来から知られているプッシュスイッチ付ロータリーエンコーダスイッチには、プッシュボタンの背面側に圧縮コイルスプリングを介在させて、プッシュボタンの押し下げ操作を解除したときの復帰が、その圧縮コイルスプリングのバネ力によってなされるように構成したものがある。
【特許文献１】特開２００１−４３７７８号公報（第２―５頁、第１図）
【発明の開示】
【発明が解決しようとする課題】
【０００６】
従来のプッシュスイッチ付ロータリーエンコーダスイッチにあっては、プッシュボタンとタクトスイッチなどのプッシュスイッチ部品との間のクリアランスによるガタツキの防止と、プッシュボタンの押し下げ操作を解除したときに、プッシュボタンを旧位置へ復帰させるためのプッシュボタンの軸部を付勢するバネを必要としていた。このように、従来のプッシュスイッチ付ロータリーエンコーダスイッチは、プッシュボタンの軸部を付勢するバネを必要とするため、組み立て作業効率が悪く、またバネを別部材で構成していたため製造コストが高くなるという問題点があった。
【０００７】
さらに、プッシュボタンの背面側へ圧縮コイルスプリングを用いた従来のプッシュスイッチ付ロータリーエンコーダスイッチの場合には、圧縮コイルスプリングを用いる分、部品点数が多く、かつ圧縮コイルスプリングを挟みながらプッシュボタンを組み付ける必要があり、組み立てが複雑で、製造コストが高くなるという問題点があった。
【０００８】
本発明は、従来の技術の有するこのような問題点に鑑みてなされたものであり、その目的とするところは、プッシュボタンの押し下げ操作の際のガタツキを防止するとともに、部品点数の削減と、組み立ての容易化、および製造コストの低減を図ることができるプッシュスイッチ付回転型電子部品を提供することにある。
【課題を解決するための手段】
【０００９】
上記の目的を達成するために、本発明のプッシュスイッチ付回転型電子部品は、ロータリーツマミを回転操作することでその電気的出力を変化させるロータリーエンコーダ部と、プッシュボタンを押し下げ操作することでプッシュスイッチをオン状態にするプッシュスイッチ部とを一体に組み込んだプッシュスイッチ付回転型電子部品において、ロータリーエンコーダ部に弾性変形可能な弾性部を一体に設け、この弾性部をプッシュボタンへ摺動可能に接触させることによりプッシュボタンを付勢するように構成したものである。
【００１０】
また、上記弾性変形可能な弾性部は、ロータリーエンコーダ部を構成するロータリーフランジに切り起こして一体に形成することが効果的である。
【００１１】
さらに、ロータリーツマミを回転操作することでその電気的出力を変化させるロータリーエンコーダ部と、プッシュボタンを押し下げ操作することでプッシュスイッチをオン状態にするプッシュスイッチ部とを一体に組み込んだプッシュスイッチ付回転型電子部品において、プッシュスイッチ部のプッシュボタンに弾性変形可能な弾性部を一体に設け、この弾性部をロータリーエンコーダ部に設けたロータリーフランジへ摺動可能に接触させることによりロータリーフランジを付勢するように構成することもできる。
【発明の効果】
【００１２】
本発明のプッシュスイッチ付回転型電子部品によれば、ロータリーエンコーダ部に弾性変形可能な弾性部を一体に設け、この弾性部をプッシュボタンへ摺動可能に接触させ、プッシュボタンを付勢するように構成したことにより、プッシュボタンの押し下げ操作をした際のプッシュボタンのガタツキを防止することができる。また、プッシュボタンの押し下げ操作を解除したときのプッシュボタンの旧位置への復帰が別部材で構成したバネを必要とすることなくでき、部品点数の削減と、組み立て作業の容易化、および製造コストの低減を達成することができる。
【００１３】
また、弾性変形可能な弾性部をロータリーエンコーダ部に設けたロータリーフランジに切り起こして一体に形成することにより、プッシュボタンの押し下げ操作を解除したときのプッシュボタンの旧位置への復帰が別部材で構成したバネを必要とすることなくでき、部品点数の削減と、組み立て作業の容易化、および製造コストの低減を達成することができる。
【００１４】
さらに、本発明のプッシュスイッチ付回転型電子部品によれば、プッシュスイッチ部のプッシュボタンに弾性変形可能な弾性部を一体に設け、この弾性部をロータリーエンコーダ部に設けたロータリーフランジへ摺動可能に接触させ、ロータリーフランジを付勢するように構成したことにより、上記効果と同様に、プッシュボタンの押し下げ操作をした際のプッシュボタンのガタツキを防止することができる。また、プッシュボタンの押し下げ操作を解除したときのプッシュボタンの旧位置への復帰が別部材で構成したバネを必要とすることなくでき、部品点数の削減と、組み立て作業の容易化、および製造コストの低減を達成することができる。
【発明を実施するための最良の形態】
【００１５】
プッシュスイッチ付回転型電子部品において、ロータリーエンコーダ部を構成するロータリーフランジに切り起こして一体に形成した弾性変形可能な弾性部を設け、この弾性部
をプッシュボタンへ摺動可能に接触させることにより、プッシュボタンを付勢するように構成する。
【実施例１】
【００１６】
本発明の係るプッシュスイッチ付回転型電子部品の第１の実施例を図１および図２にもとづいて説明する。図１は、プッシュスイッチ付回転型電子部品の要部を断面した斜視図であり、図２は、図１に示すプッシュスイッチ付回転型電子部品の分解斜視図である。
なお、本実施例において、回転型電子部品は、パルススイッチを例にして説明する。
【００１７】
図１および図２に示すプッシュスイッチ付回転型電子部品は、ロータリーエンコーダ部Ａにプッシュスイッチ部Ｂを一体に組み込み、複合型のスイッチとして構成し、パターン配線が形成された回路基板１の上に配置され、それぞれ電気的に接続されている。
【００１８】
このロータリーエンコーダ部Ａは、ロータリーツマミ２と、ロータリーフランジ３と、ロータ４を備えたロータリーエンコーダスイッチ５とによって構成されている。一方、一体に組み込まれたプッシュスイッチ部Ｂは、プッシュボタン６と、タクトスイッチ等からなるプッシュスイッチ７とによって構成されている。
以下、各構成部品について説明する。
【００１９】
ロータリーエンコーダ部Ａのロータリーツマミ２は、合成樹脂で円盤状に形成するとともに、その中央部にロータリーツマミ２の頭部を露出および収納するための貫通孔２１を設けている。また、このロータリーツマミ２は、下端部をロータリーフランジ３のフランジ部３１へ貼り付け、または圧入によって固定している。
【００２０】
ロータリーフランジ３は、円筒形をした本体の上端外周壁面へ環状に突出させて形成したフランジ部３１を設けるとともに、ロータリーツマミ２を上下移動自在に嵌合する収納部３２を設けている。また、ロータリーフランジ３の下面には、下向きに突出し、かつ先端部分を内側に向けてＬ字状に形成した弾性係止爪部３３を一定の間隔を置いて複数個設けている。
【００２１】
さらに、このロータリーフランジ３の円筒形をした本体内部には、中心部に貫通孔３４を形成した環状の段部３５を設けている。そして、この段部３５の上面側には、舌片形状に一体に切り起こして形成した軸線方向へ弾性変形する弾性部３６を複数個（例えば、４個）を設けている。この弾性部３６は、プッシュボタン６の下面へ摺動可能に接触し、プッシュボタン６に対して常時、付勢するように構成している。
【００２２】
ロータリーエンコーダスイッチ５は、ロータ４の筒部４１を回転自在に嵌合する筒部５１を設け、この筒部５１内部にプッシュスイッチ７を配置している。また、この筒部５１の内部には、ストッパーリブ５２を突出して形成している。一方、ロータ４は、中央部分に上向きに突出させて形成した筒部４１をロータリーエンコーダスイッチ５の筒部５１へ回転自在に嵌合するとともに、その筒部４１の壁面には、ロータリーフランジ３に設けた弾性係止爪部３３をスナップイン係止させるための係止穴４２を複数個設けている。さらに、ロータリーエンコーダスイッチ５には、ロータ４の回転にクリック感を持たせる機構（図示しない）を備えている。
【００２３】
プッシュスイッチ部Ｂのプッシュボタン６は、円盤状の本体の下面中心部に軸部６１を軸線方向（図面下方）に突出させて形成し、その軸部６１の下側の自由端部で下側に配置されたプッシュスイッチ７を押圧操作するように構成している。また、軸部６１の周囲には、一定の間隔を置いて軸線方向（図面下方）に突出させた弾性フック部６２を設けている。この弾性フック部６２は、先端の自由端部を外側へＬ字状に形成し、ローターエンコーダスイッチ５のストッパーリブ５２へ当接するように構成している。
【００２４】
この弾性フック部６２をストッパーリブ５２へ当接させることによって、ロータリーフランジ３に設けた弾性部３６によるロータリーツマミ２に対する軸線方向（図面上方）への付勢を規制し、プッシュボタン６の位置決めを行なうことができる。
【００２５】
上記のように各構成部品を構成したことによって、ロータリーツマミ２を回転操作すると、ロータリーフランジ３の弾性係止爪部３３を介してロータリーツマミ２の回転力がロータ４へ伝わり、このロータ４の回転によって、ロータリーエンコーダスイッチ５のスイッチがオン、オフ操作され、回転角度や回転方向を出力することができる。このとき、ロータリーフランジ３に設けた弾性部３６は、ロータリーフランジ３の回転にしたがって、プッシュボタン６の下面を摺動接触しつつ、プッシュボタン６に対して軸線方向（図面上方）への付勢を継続し、バネ部材としての働きをしている。
【００２６】
また、プッシュボタン６を押し下げ操作すると、弾性部３６は軸線方向（図面下方）へ弾性変形し、軸部６１の自由端部がプッシュスイッチ７を押圧して、オン状態とすることができる。一方、プッシュボタン６の押し下げ操作を解除すると、弾性部３６の弾性変形状態からの復元力によって、プッシュボタン６が戻され、旧位置へ復帰するとともに、軸部６１の押圧が解除されてプッシュスイッチ７は、オフ状態となる。
【００２７】
したがって、この第１の実施例によれば、プッシュボタン６を押し下げ操作したときのガタツキをロータリーフランジ３に一体に形成した弾性部３６のバネ力により防止することができるとともに、押し下げ操作を解除したときのプッシュボタン６の旧位置への復帰が弾性部３６によってなされるもので、従来のもののような別部材で構成したバネ等を必要としない。よって、その分、部品点数を削減でき、組み立ても容易化することができるものであり、それらによって、製造コストの低減を達成することができる。
【実施例２】
【００２８】
本発明に係るプッシュスイッチ付回転型電子部品の第２の実施例は、上述した第１の実施例においてロータリーフランジ３に形成した弾性変形可能な弾性部３６と同様に形成した複数個の弾性部をプッシュボタン６の下面へ一体に設け、ロータリーフランジ３の段部３５の上面へ摺動可能に接触させたことを特長とするものである。
【００２９】
このように、プッシュボタン６の下面に複数個の弾性部を設けて、ロータリーフランジ３に対し付勢することによって、上述した第１の実施例の場合と同様の効果を得ることができる。
【実施例３】
【００３０】
上記第１および第２の実施例においては、回転型電子部品をパルススイッチとして説明したが、可変抵抗器などの回転型電子部品へ実施した場合も、同様の効果を得ることができる。
【図面の簡単な説明】
【００３１】
【図１】本発明に係るプッシュスイッチ付回転型電子部品の第１の実施例を示す要部を断面した斜視図である。
【図２】図１に示す第１の実施例の分解斜視図である。
【符号の説明】
【００３２】
Ａ      ロータリーエンコーダ部
Ｂ      プッシュスイッチ部
１      回路基板
２      ロータリーツマミ
２１    貫通孔
３      ロータリーフランジ
３１    フランジ部
３２    収納部
３３    弾性係止爪部
３４    貫通孔
３５    段部
３６    弾性部
４      ロータ
４１    筒部
４２    係止穴
５      ロータリーエンコーダスイッチ
５１    筒部
５２    ストッパーリブ
６      プッシュボタン
６１    軸部
６２    弾性フック部
７      プッシュスイッチ
【図１】
2005197070.tif 000003
【図２】
2005197070.tif 000004